(57)【要約】      （修正有）【課題】補助なしに一人で容易に着衣でき、首まわりのサイズ、腰紐のウエスト位置の調整が可能な、医療介護用の予防衣（アイソレーションガウン等）を提供する。【解決手段】着衣時の接合部分に粘着シール７を設置し、着衣者の利便性を高めた。予防衣Ａ−１・Ｂ−１１の右後見頃２に、粘着シールを設置することにより、着衣時に、左後見頃３の任意の位置に接合することができ、着衣し易く、首まわりのサイズも自由に調整可能とする。また、予防衣の腰紐に、粘着シールを設置し、着衣時に接合することにより、着衣者の体型（ウエスト位置）の違いに応じて、適切な位置で腰紐を着けることを可能とする。【選択図】図１
0003235131.tif 000002
【実用新案登録請求の範囲】
【請求項１】
左右一対の後身頃において、いずれか一方の後見頃に粘着シールを設置し、着衣時に、もう一方の後見頃の任意の位置に接合できる、医療介護用の予防衣。
【請求項２】
請求項１に係る予防衣において、前記粘着シールは、着衣時に、左右の前記後身頃が重なる位置に設置されていることを特徴とする、医療介護用の予防衣。
【請求項３】
請求項１、又は、請求項２に係る予防衣において、前記粘着シールは、いずれか一方の前記後見頃の首まわりに設置されていることを特徴とする、医療介護用の予防衣。
【請求項４】
請求項１から請求項３のいずれかに係る予防衣において、粘着シールを有する腰紐を用い、身頃の任意の位置に貼り付けて、身頃と腰紐を接合できる、医療介護用の予防衣。
【考案の詳細な説明】
【技術分野】
【０００１】  本発明は、医療介護用の予防衣（アイソレーションガウン等）に関するものである。
【背景技術】
【０００２】  主に医療や介護現場で着用する医療介護用の予防衣（アイソレーションガウン等）は、抗ウイルス加工された不織布等によって構成され、原則として使い捨てで使用されている。【０００３】  これらの予防衣は後部開口部の左右に、紐であったり、面ファスナーやボタン等を取り付けて着脱可能としている。
しかしながら着衣時に後部で、紐を結んだり、面ファスナーやボタン等では左右位置を合わせ止める必要があり、補助なしに一人で着衣し難く、脱衣もし難い。
また一般的に、男女及び体型に応じた寸法展開がなく、首まわりの寸法が固定される為、個人差で首まわりがダブついてウイルスを防御し難くなったり、首が締め付けられたりすることがある。【０００４】  また、これらの予防衣は下部の開口を防ぐため、腰回りに腰紐を取り付け、結んで着るようになっている。
しかしながら、男女及び体型の違いによりウエスト位置が変わり、適切な位置で腰紐を結んで着ることが出来ないことがある。
【先行技術文献】
【特許文献】
【０００５】
【特許文献１】実用新案登録第３２２９１３８号公報
【特許文献２】実用新案登録第３２３０５９９号公報
【特許文献３】特開２０１８−４００７２号公報
【考案の概要】
【考案が解決しようとする課題】
【０００６】  本考案は、医療介護用の予防衣（アイソレーションガウン等）で、補助なしに一人で容易に着衣できることを目的とする。【０００７】  着衣後、首まわりがダブついてウイルスを防御し難くなったり、首が締め付けられたりすること無いように、首まわりの開き寸法を調整可能とすることを目的とする。【０００８】  腰紐を、男女及び体型によるウエスト位置の違いに応じて、適切な位置で着けれることを目的とする。
【課題を解決するための手段】
【０００９】  本考案は、医療介護用の予防衣（アイソレーションガウン等）は、原則として使い捨てで使用されている為、着衣時の接合部分に粘着シールを設置し、着衣者の利便性を高めた。【００１０】  着衣時に、予防衣（アイソレーションガウン等）の後部開口部の首まわり上部に粘着シールを設置し、着衣時に左後見頃の後部開口部の首まわりの任意の位置に接合することにより、一人で容易に着衣することを可能とした。
また、着衣者の首まわり体型の違いに関係なく、最適な首まわりの着衣を可能とした。【００１１】  着衣時に、予防衣（アイソレーションガウン等）の身頃の任意の位置に、粘着シールを設置した腰紐を接合することにより、着衣者の体型（ウエスト位置）に関係なく、適切な位置で腰紐を結び着ることを可能とした。
【考案の効果】
【００１２】  本考案は、着衣時の接合部分に粘着シールを設置し、着衣者が容易に着脱可能で、体型に関係なく着易い予防衣（アイソレーションガウン等）を提供可能とした。
【図面の簡単な説明】
【００１３】
【図１】本考案に係る予防衣の背面図
【図２】本考案に係る予防衣の正面図
【考案を実施するための形態】
【００１４】  粘着シールで着衣時に、後部開口部、腰紐を接合する形態を考案した。
【実施例１】
【００１５】図１Ａに、本考案に係る予防衣１の背面図を示す。予防衣１は、右後見頃２の後部開口部の上部裏側に粘着シール７を有している。予防衣１の着衣時に、粘着シール７の保護シールを剥がして、左後見頃３の後部開口部の上部表側の任意の場所に貼り付け、左右の後見頃を接合して着用する。【００１６】  右後見頃２の粘着シール７を左後見頃３の任意の位置に貼り付けるだけで接合できる為、着衣時に後で、紐を結ぶことや、面ファスナーやボタン等のように左右で位置を合わせる必要がなく、容易に着衣することを可能とした。【００１７】  右後見頃２の粘着シール７は、左後見頃３の任意の位置に貼り付けて接合可能の為、着衣者の首まわりの体型に合わせて、首まわり寸法を調整可能とした。【００１８】  図２Ａに、予防衣１の正面図を示す。着衣時に、腰紐６に設置された粘着シール８の保護シールを剥がして、予防衣１の前身頃４の腰回りの正面中心部分に貼り付けて接合することにより、着衣者の体型（ウェスト位置）の違いに関係なく、着衣者に適切な位置で腰紐６を着けることを可能とする。【００１９】  また、腰紐６と前見頃４の接合部は、縫い目を無くして貼り付けることにより、縫い目にかかった液体が内部に浸透し、ウイルスが侵入するのを防ぐことを可能とした。【００２０】  予防衣１は原則として使い捨てで使用される為、粘着シール７・８は再利用できないが、強く引っ張れば容易に剥がし脱衣可能である。
【実施例２】
【００２１】  図１Ｂに、本考案に係る予防衣１１の背面図を示す。予防衣１１は、右後見頃１２の後部開口部の上部に、左後身頃３方向に向かって、凸部１９を有し、凸部１９の裏側に、粘着シール７を有している。予防衣１１の着衣時に、粘着シール７の保護シールを剥がして、左後見頃３の後部開口部の上部表側の任意の場所に貼り付け、左右の後見頃を接合して着用する。【００２２】  右後見頃２の粘着シール７を左後見頃３の任意の位置に貼り付けるだけで接合できる為、着衣時に後で、紐を結ぶことや、面ファスナーやボタン等のように左右で位置を合わせる必要がなく、容易に着衣することを可能とした。【００２３】  右後見頃２の粘着シール７は、左後見頃３の任意の位置に貼り付けて接合可能の為、着衣者の首まわりの体型に合わせて、首まわり寸法を調整可能とした。【００２４】    図２Ｂに、予防衣１１の正面図を示す。着衣時に、腰紐６に設置された粘着シール８の保護シールを剥がして、予防衣１１の前身頃４の腰回りの脇部分に貼り付けて接合することにより、着衣者の体型（ウェスト位置）の違いに関係なく、着衣者に適切な位置で腰紐６を着けることを可能とする。【００２５】  また、腰紐６と前見頃４の接合部は、縫い目を無くして、粘着シール８で貼り付けることにより、縫い目にかかった液体が内部に浸透し、ウイルスが侵入するのを防ぐことを可能とした。【００２６】  予防衣（アイソレーションガウン等）１１は、原則として使い捨てで使用される為、粘着シール７、８は再利用できないが、強く引っ張れば容易に剥がし脱衣可能である。
［その他の実施形態］【００２７】  前述の実施例１における右後身頃２、左後身頃３、及び、実施例２における右後身頃１２、左後身頃３の形状については、例示のものに限定されない。【００２８】  前述の実施例１では、粘着シール７を右後身頃２に、実施例２では、粘着シール７を右後身頃１２に配置したが、それぞれ、左後身頃３に配置するようにしてもよい。【００２９】  前述の実施例１では、腰紐６を正面中心部分に貼り付け、実施例２では、腰紐６を脇部分に貼り付けたが、腰紐６の貼り付け位置は、例示のものに限定されない。【００３０】  前述の実施例１、及び、実施例２では、粘着シール７を１ヶ所に配置しているが、複数個所に配置するようにしてもよい。
【符号の説明】
【００３１】  １  予防衣
２  右後身頃
３  左後身頃
４  前身頃
５  袖
６  腰紐
７  右後見頃に設置した保護シールのついた粘着シール
８  腰紐に設置した保護シールのついた粘着シール
１１  予防衣
１２  右後身頃
１９  凸部
【図１】
0003235131.tif 000003
【図２】
0003235131.tif 000004